(57)【要約】【課題】配送用伝票と送り状との対応付けを容易に行う。【解決手段】依頼主端末において作成された贈答先データ、贈主データ、メッセージデータ、添付写真データ等は、販売センタの管理コンピュータに送信される。これらデータに基づいて、管理コンピュータに接続されたプリンタを介して用紙Ｐ１に対して印刷が行われ、配送用伝票４０が作成される。配送用伝票４０は、メッセージカード６１、贈答先控え部６２、到着確認票６３を備える。メッセージカード６１には、メッセージ文６５ａと写真６５ｂとが印刷されている。贈答先控え部６２と到着確認票６３とには、宛先文６６ａ等が印刷されている。配送者は、贈答先控え部６２、到着確認票６３等を閲覧することにより、贈答先へと贈物を配送するための情報を把握する。贈答先は、贈物を受領すると、メッセージカード６１を閲覧し、依頼主からのメッセージを確認する。【選択図】      図４
2004291488.tif 000002
【特許請求の範囲】
【請求項１】
依頼主の品物を贈答先に配送するための配送情報に基づいた印刷がなされた配送情報印刷媒体と、
前記配送情報印刷媒体と同一平面上に位置し、前記依頼主から前記贈答先へ伝えるメッセージに関するメッセージ情報に基づいた印刷がなされたメッセージ情報印刷媒体と、
前記配送情報印刷媒体と前記メッセージ情報印刷媒体とをお互いに分離可能に接続する接続手段と
を備えたことを特徴とする配送用伝票。
【請求項２】
請求項１に記載の配送用伝票において、
前記配送情報は、前記品物の配送が完了したか否かを表すための配送完了確認用情報を含むことを特徴とする配送用伝票。
【請求項３】
請求項１又は２に記載の配送用伝票において、
前記配送情報は、少なくとも、前記依頼主の住所、あるいは、前記依頼主の氏名、前記品物の商品名のいずれかを備えた納品情報を含むことを特徴とする配送用伝票。
【請求項４】
請求項１〜３のいずれか１つに記載の配送用伝票において、
前記メッセージ情報印刷媒体には、さらに、前記贈答先から前記依頼主に返信するための通信用紙の書式情報に基づいた印刷がなされていることを特徴とする配送用伝票。
【請求項５】
請求項１〜４のいずれか１つに記載の配送用伝票において、
前記配送情報印刷媒体と前記メッセージ情報印刷媒体とは、一体に形成され、
前記接続手段は、前記配送情報印刷媒体と前記メッセージ情報印刷媒体との境界線上に設けられているミシン目であることを特徴とする配送用伝票。
【請求項６】
請求項１〜５のいずれか１つに記載の配送用伝票において、
お互いに非平行となる少なくとも２本のミシン目によって複数の印刷領域を区画形成する区画印刷媒体を備え、
前記配送情報印刷媒体と前記メッセージ情報印刷媒体は、前記複数の印刷領域の少なくとも１つに対して、前記配送情報、あるいは、前記メッセージ情報に基づく印刷が行われることによりそれぞれ形成され、
前記接続手段は、前記ミシン目であることを特徴とする配送用伝票。
【請求項７】
請求項１〜６のいずれか１つに記載の配送用伝票において、
前記メッセージ情報印刷媒体は、折り目が設けられていることを特徴とする配送用伝票。
【請求項８】
請求項１〜７のいずれか１つに記載の配送用伝票において、
前記配送情報印刷媒体と前記メッセージ情報印刷媒体とは、それぞれ、前記配送情報と前記メッセージ情報に基づく印刷が表面になされており、
前記配送情報印刷媒体と前記メッセージ情報印刷媒体とのうち、前記配送情報印刷媒体の裏面にのみ、接着手段が設けられていることを特徴とする配送用伝票。
【請求項９】
請求項１〜８のいずれか１つに記載の配送用伝票において、
前記メッセージ情報印刷媒体の表面を被覆する被覆手段を備えたことを特徴とする配送用伝票。
【請求項１０】
依頼主端末と、同依頼主端末に接続されている管理コンピュータと、同管理コンピュータから受信した印刷データに基づいて印刷媒体に対して印刷を行う印刷手段とを備えた印刷システムにおいて、
前記管理コンピュータは、
前記依頼主端末から、品物を贈答先に配送するための配送情報を受信する手段と、
前記依頼主端末から、前記品物の贈答先へと伝えるメッセージに関するメッセージ情報を受信する手段と、
前記配送情報及び前記メッセージ情報に基づいて前記印刷データを作成する手段と
を備えたことを特徴とする印刷システム。
【請求項１１】
請求項１０に記載の印刷システムにおいて、
前記印刷媒体は、
配送情報印刷媒体と、
同配送情報印刷媒体に対して隣接し、前記配送情報印刷媒体と同一平面上に位置するメッセージ情報印刷媒体と、
前記配送情報印刷媒体と前記メッセージ情報印刷媒体とをお互いに分離可能に接続する接続手段と
を備え、
前記印刷データは、
前記配送情報印刷媒体の表面に、前記配送情報に基づいた印刷を行うとともに、
前記メッセージ情報印刷媒体の表面に、前記メッセージ情報に基づいた印刷を行うためのデータであることを特徴とする印刷システム。
【請求項１２】
請求項１０又は１１に記載の印刷システムにおいて、
前記管理コンピュータは、
前記依頼主端末から、前記依頼主の品物の発注情報を受信する手段を備えたことを特徴とする印刷システム。
【請求項１３】
依頼主端末と、同依頼主端末に接続されている管理コンピュータと、同管理コンピュータに接続されている印刷手段とを備えた印刷システムを用いて、印刷媒体に対して印刷を行う印刷方法において、
前記管理コンピュータが、前記依頼主端末から、依頼主の品物を贈答先に配送するための配送情報を受信する段階と、
前記管理コンピュータが、前記依頼主端末から、前記品物の贈答先へと伝えるメッセージに関するメッセージ情報を受信する段階と、
前記管理コンピュータが、前記配送情報及び前記メッセージ情報に基づいて印刷データを作成し、前記印刷手段に送信する段階と
前記印刷手段が、前記印刷データに基づいて前記印刷媒体に対して印刷を行う段階と
を備えたことを特徴とする印刷方法。
【発明の詳細な説明】
【０００１】
【発明の属する技術分野】
本発明は、配送用伝票、印刷システム及び印刷方法に関する。
【０００２】
【従来の技術】
従来から、贈物を贈るときには、贈物と一緒に、メッセージカード等の送り状を添付することが行われていた。そして、このような送り状を贈答先に届ける方法としては、送り状を贈物の包装の中に入れて、贈物と一緒に贈答先に届ける方法などが採用されていた。
【０００３】
ところで、近年、インターネット等の普及により、依頼主がネットワークを介して贈物の注文を行い、宅配便等により依頼主が指定した贈答先に贈物を配送することが行われるようになっていた。そして、このような場合には、依頼主が直接贈物に接することがないので、上記のように贈物の包装の中に送付状を入れて、贈物と一緒に送ることが難しくなっていた。
【０００４】
そこで、上記問題点を解決するために、贈物の配送段階において、贈物の配送と送り状の配送とを一括して行うシステムについて提案されていた（例えば、特許文献１参照。）。詳しくは、この特許文献１に記載のシステムは、依頼主が使用するユーザー端末と、贈物の販売者が使用する販売者端末と、宅配便会社に設けられている宅配便会社端末と、宅配便会社端末に設けられた送り状印刷機とを備えていた。
【０００５】
そして、宅配便会社端末は、ネットワークを介して、注文された贈物に関する情報、贈答先の住所等に関する情報、送り状に記載するメッセージ等に関する情報を受信し、これらの情報から贈答先への贈物の配送予定日時を割り出すようになっていた。また、宅配便会社端末は、送り状に関する情報に、割り出した配送予定日時を追加して、送り状を送り状印刷機から出力するようになっていた。そして、宅配便会社は、出力した送り状を、配送予定日時に、贈物に添付して贈答先に対して配送するようになっていた。以上により、宅配便会社が送り状の配送と贈物の配送とを一括して扱うことができるようになっていた。
【０００６】
【特許文献１】
特開２００１−３０６６６４号公報
【０００７】
【発明が解決しようとする課題】
ところで、上記の特許文献１に記載のシステムでは、送り状と贈物の配送とを一括して行うためには、宅配便会社において、送り状印刷機から出力された送り状を、贈物に添付するという作業が必要となっていた。しかし、大量の贈物を扱う宅配便会社にとって、このような送り状と贈物とを対応付けるという作業は、大きな負担となる可能性が高かった。従って、送り状と贈物との対応付けを簡単に行うことができるシステムが望まれていた。
【０００８】
本発明は、上記問題を解決するためになされたものであって、その目的は、贈物と送り状との対応付けを容易に行うことができる配送用伝票、印刷システム及び印刷方法を提供することにある。
【０００９】
【課題を解決するための手段】
本発明は、依頼主の品物を贈答先に配送するための配送情報に基づいた印刷がなされた配送情報印刷媒体と、前記配送情報印刷媒体と同一平面上に位置し、前記依頼主から前記贈答先へ伝えるメッセージに関するメッセージ情報に基づいた印刷がなされたメッセージ情報印刷媒体と、前記配送情報印刷媒体と前記メッセージ情報印刷媒体とをお互いに分離可能に接続する接続手段とを備えた。
【００１０】
従って、本発明によれば、品物を贈答先に配送するときに、この配送用伝票を品物に対して添付することにより、配送者に対して配送情報を提供するとともに、贈答先に対してメッセージを提供することができる。すなわち、品物に対して、一枚の配送用伝票を添付することで、配送情報とメッセージ情報とを同時に品物に対応付けることができる。その結果、品物とメッセージとの対応付けの手間が軽減される。
【００１１】
また、配送情報に基づいた印刷がなされる配送情報印刷媒体と、メッセージ情報に基づいた印刷がなされるメッセージ情報印刷媒体とが、同一平面上に位置しているため、配送情報に基づく印刷とメッセージ情報に基づく印刷とを一度に行うことが可能であり、配送用伝票を作成する手間が軽減される。
【００１２】
さらに、配送情報印刷媒体と、メッセージ情報印刷媒体とは、お互いに分離可能に接続されており、配送時には、配送情報印刷媒体とメッセージ情報印刷媒体とをまとめて扱うことができ、扱いが楽となる。また、配送終了後、贈答先において、メッセージが印刷されたメッセージ情報印刷媒体を、配送情報印刷媒体から分離することが可能であり、贈答先に対して、メッセージを美観上好ましい状態で提供することができる。
【００１３】
この配送用伝票において、前記配送情報は、前記品物の配送が完了したか否かを表すための配送完了確認用情報を含む。
これによれば、配送業者等が、この配送用伝票を使用して贈答先へ品物を配送した後に、配送情報印刷媒体を持ち帰って保管することによって、配送業者自身が配送の確認を行うことができる。
【００１４】
この配送用伝票において、前記配送情報は、少なくとも、前記依頼主の住所、あるいは、前記依頼主の氏名、前記品物の商品名のいずれかを備えた納品情報を含む。
【００１５】
これによれば、この配送用伝票を品物に添付して贈答先に品物を届けることで、贈答先は、配送情報印刷媒体に記載された納品情報を確認することによって、品物の贈主に関する情報や品物の商品名等を確認することができる。
【００１６】
この配送用伝票において、前記メッセージ情報印刷媒体には、さらに、前記贈答先から前記依頼主に返信するための通信用紙の書式情報に基づいた印刷がなされている。
【００１７】
これによれば、贈答先は、品物を受領した後に、書式情報に基づいた印刷がなされたメッセージ情報印刷媒体を使用して、依頼主へと通信を行うことが可能となる。従って、贈答先において、依頼主へ品物の受領の旨を連絡するために、ハガキや封筒といった、新たな通信用紙を用意する必要がなく、依頼主への通信を容易に行うことができる。
【００１８】
この配送用伝票において、前記配送情報印刷媒体と前記メッセージ情報印刷媒体とは、一体に形成され、前記接続手段は、前記配送情報印刷媒体と前記メッセージ情報印刷媒体との境界線上に設けられているミシン目である。
【００１９】
これによれば、配送情報印刷媒体とメッセージ情報印刷媒体とが一枚の印刷媒体により形成されているので、印刷手段による印刷をより容易に行うことができる。また、配送情報印刷媒体とメッセージ情報印刷媒体とがミシン目で区切られており、接続手段の構成を簡単なものとすることができる。
【００２０】
この配送用伝票において、お互いに非平行となる少なくとも２本のミシン目によって複数の印刷領域を区画形成する区画印刷媒体を備え、前記配送情報印刷媒体と前記メッセージ情報印刷媒体は、前記複数の印刷領域の少なくとも１つに対して、前記配送情報、あるいは、前記メッセージ情報に基づく印刷が行われることによりそれぞれ形成され、前記接続手段は、前記ミシン目である。
【００２１】
これによれば、Ａ４サイズなど、汎用性の高いサイズを有する区画印刷媒体に、少なくとも２本のミシン目を形成するとともに、その表面に各種の印刷を行うことによって、簡単に配送用伝票を作成することができる。従って、配送用伝票の製造をより低コストに行うことができる。
【００２２】
この配送用伝票において、前記メッセージ情報印刷媒体は、折り目が設けられている。
これによれば、品物を贈答先に配送したときに、贈答先において、メッセージが印刷されたメッセージ情報印刷媒体を、配送情報印刷媒体から分離し、さらに、メッセージ情報印刷媒体を折り目において折りたたむことができるようになる。この結果、贈答先に対して、メッセージを美観上より好ましい状態で提供することができる。
【００２３】
この配送用伝票において、前記配送情報印刷媒体と前記メッセージ情報印刷媒体とは、それぞれ、前記配送情報と前記メッセージ情報に基づく印刷が表面になされており、前記配送情報印刷媒体と前記メッセージ情報印刷媒体とのうち、前記配送情報印刷媒体の裏面にのみ、接着手段が設けられている。
【００２４】
これによれば、品物に配送用伝票を添付する場合には、配送情報印刷媒体の裏面に設けられている接着手段を介して品物を包装する箱等に貼り付けることにより、容易に品物に配送用伝票を添付することができる。そして、このとき、メッセージ情報印刷媒体の裏面には接着手段が設けられていないので、メッセージ情報印刷媒体は品物を包装する箱等に貼り付けられた状態とならないようにすることができる。その結果、贈答先において、メッセージ情報印刷媒体を配送情報印刷媒体から分離することが容易となる。そして、贈答先に対して、メッセージ情報印刷媒体上に印刷されているメッセージを、美観上好ましい状態で提供することができる。
【００２５】
この配送用伝票において、前記メッセージ情報印刷媒体の表面を被覆する被覆手段を備えた。
これによれば、メッセージ情報印刷媒体の表面に印刷されているメッセージを被覆手段によって被覆することができるので、メッセージの機密性を高めることができる。また、配送段階においてメッセージが記載されている部分の損傷や汚れ等を防ぐことができる。
【００２６】
本発明は、依頼主端末と、同依頼主端末に接続されている管理コンピュータと、同管理コンピュータから受信した印刷データに基づいて印刷媒体に対して印刷を行う印刷手段とを備えた印刷システムにおいて、前記管理コンピュータは、前記依頼主端末から、品物を贈答先に配送するための配送情報を受信する手段と、前記依頼主端末から、前記品物の贈答先へと伝えるメッセージに関するメッセージ情報を受信する手段と、前記配送情報及び前記メッセージ情報に基づいて前記印刷データを作成する手段とを備えた。
【００２７】
従って、本発明によれば、依頼主端末において作成された配送情報及びメッセージ情報が、管理コンピュータに送信され、管理コンピュータにおいて、配送情報及びメッセージ情報に基づいた印刷データが作成される。そして、作成された印刷データに基づいて印刷媒体に対して印刷が行われる。従って、配送情報とメッセージとが両方印刷された印刷媒体を提供することができ、この印刷媒体を品物に添付する配送用伝票として使用することで、品物を配送する配送者に対して配送情報を提供するとともに、贈答先に対してメッセージ情報を提供することができる。
【００２８】
すなわち、品物にメッセージを添付する作業と、品物に配送情報を添付する作業とを一度に行うことが可能となり、品物にメッセージを添付する作業を容易に行うことができる。
【００２９】
この印刷システムにおいて、前記印刷媒体は、配送情報印刷媒体と、同配送情報印刷媒体に対して隣接し、前記配送情報印刷媒体と同一平面上に位置するメッセージ情報印刷媒体と、前記配送情報印刷媒体と前記メッセージ情報印刷媒体とをお互いに分離可能に接続する接続手段とを備え、前記印刷データは、前記配送情報印刷媒体の表面に、前記配送情報に基づいた印刷を行うとともに、前記メッセージ情報印刷媒体の表面に、前記メッセージ情報に基づいた印刷を行うためのデータである。
【００３０】
これによれば、配送情報に基づいた印刷がなされる配送情報印刷媒体と、メッセージ情報に基づいた印刷がなされるメッセージ情報印刷媒体とが、同一平面上に位置しているため、配送情報に基づく印刷とメッセージ情報に基づく印刷とを一度に行うことが可能であり、手間が軽減される。
【００３１】
さらに、配送情報印刷媒体と、メッセージ情報印刷媒体とは、お互いに分離可能に接続されており、配送情報印刷媒体とメッセージ情報印刷媒体とをまとめて扱うことができ、扱いが楽となる。また、メッセージが印刷されたメッセージ情報印刷媒体を、配送情報印刷媒体から分離することが可能であり、メッセージを美観上好ましい状態で提供することができる。
【００３２】
この印刷システムにおいて、前記管理コンピュータは、前記依頼主端末から、前記依頼主の品物の発注情報を受信する手段を備えたことを特徴とする。
これによれば、管理コンピュータの管理者等が、管理コンピュータにおいて受信された依頼主の品物の発注情報に基づいて、品物の手配をすることができるようになる。その結果、管理コンピュータの管理者等が、配送情報とメッセージとが両方印刷された印刷媒体を取得するとともに、品物の手配を行うことができる。従って、品物の手配と印刷媒体の取得とが同一人にて行われるようになり、品物と印刷媒体との対応付けがより簡単となる。その結果、品物に対してメッセージ情報を添付することがより簡単となる。
【００３３】
本発明は、依頼主端末と、同依頼主端末に接続されている管理コンピュータと、同管理コンピュータに接続されている印刷手段とを備えた印刷システムを用いて、印刷媒体に対して印刷を行う印刷方法において、前記管理コンピュータが、前記依頼主端末から、依頼主の品物を贈答先に配送するための配送情報を受信する段階と、前記管理コンピュータが、前記依頼主端末から、前記品物の贈答先へと伝えるメッセージに関するメッセージ情報を受信する段階と、前記管理コンピュータが、前記配送情報及び前記メッセージ情報に基づいて印刷データを作成し、前記印刷手段に送信する段階と前記印刷手段が、前記印刷データに基づいて前記印刷媒体に対して印刷を行う段階とを備えた。
【００３４】
従って、本発明によれば、依頼主端末において作成された配送情報及びメッセージ情報が、管理コンピュータに送信され、管理コンピュータにおいて、配送情報及びメッセージ情報に基づいた印刷データが作成される。そして、作成された印刷データに基づいて印刷媒体に対して印刷が行われる。従って、配送情報とメッセージとが両方印刷された印刷媒体を提供することができ、この印刷媒体を品物に添付する配送用伝票として使用することで、品物を配送する配送者に対して配送情報を提供するとともに、贈答先に対してメッセージ情報を提供することができる。
【００３５】
すなわち、品物にメッセージを添付する作業と、品物に配送情報を添付する作業とを一度に行うことが可能となり、品物にメッセージを添付する作業を容易に行うことができる。
【００３６】
【発明の実施の形態】
以下、本発明を具体化した一実施形態を図１〜図９に従って説明する。
図１は本実施形態の印刷システムの概略構成図を示す。図１に示すように、印刷システム１１は、依頼主端末１２と、販売センタ１３とを備えている。依頼主端末１２は、販売センタ１３の管理コンピュータ１４と、インターネットＩを介して接続されている。そして、依頼主端末１２は、インターネットＩを介して販売センタ１３から各種情報を受信し、画面１２ａ上に画像を表示させたり、マウス１２ｂやキーボード１２ｃ等を介して入力した各種情報を、販売センタ１３に送信したりすることが可能となっている。なお、図１においては、依頼主端末１２は１つのみ図示しているが、この依頼主端末１２は販売センタ１３に対して複数接続されていてもよい。また、依頼主端末１２と管理コンピュータ１４とは、インターネットＩ以外のネットワーク等を介して接続されていてももちろんよい。
【００３７】
前記販売センタ１３は、管理コンピュータ１４と、同管理コンピュータに接続されている印刷手段としてのプリンタ１５とを備える。そして、プリンタ１５は、管理コンピュータ１４から受信したデータに基づいて印刷媒体としての用紙Ｐ１に対して印刷を行うことが可能となっている。また、販売センタ１３は、商品情報記憶部１７、ウェブページ記憶部１８、注文情報記憶部２１、伝票書式データ記憶部２２を備える。そして、これら各記憶部１７，１８，２１，２２は、管理コンピュータ１４に接続されている。
【００３８】
商品情報記憶部１７には、販売センタ１３が取り扱う複数の商品に関する商品情報が記憶されており、本実施形態では、商品情報は、商品名データ、商品写真データ、価格データによって構成されている。商品名データは、商品の名称に関するデータであり、「特選マスクメロン」、「ワインギフトセット」といったデータである。また、商品写真データは、商品の外観などを表す写真や絵などの画像データである。さらに、価格データは、商品の価格を表すデータであり、「５０００円」、「３０００円」といったデータである。そして、これらのデータは、販売センタ１３が格納するものであって、適宜追加や削除、更新が行われるようになっている。
【００３９】
ウェブページ記憶部１８には、管理コンピュータ１４が、依頼主端末１２からのアクセス要求に応じて依頼主端末１２に送信するウェブページデータ記憶されている。なお、本実施形態においては、ウェブページデータは、ＨＴＭＬ（Ｈｙｐｅｒｔｅｘｔ  Ｍａｒｋｕｐ  Ｌａｎｇｕａｇｅ  ）を用いて作成されており、依頼主端末１２の画面１２ａには、これらのウェブページデータに基づいて、図２及び図３に示すようなウェブページ２５，２６が表示されるようになっている。
【００４０】
なお、図２に示すウェブページ２５には、前記商品情報記憶部１７に記憶されている商品情報に基づいた表示が行われる。詳しくは、このウェブページ２５には、商品写真データに基づく画像２８、商品名データに基づく文字２９、価格データに基づく文字３１が複数表示される。また、これら画像２８及び文字２９，３１の右横には、チェックボックス３３が表示されており、このチェックボックス３３が前記マウス１２ｂやキーボード１２ｃによってチェックされることにより、品物としての贈物が選択される。さらに、ウェブページ２５の下部にはボタン３４が表示されており、このボタン３４が前記マウス１２ｂやキーボード１２ｃによって選択されることで、前記チェックボックス３３による贈物の選択が確定される。そして、確定された贈物に関する商品データが、依頼主端末１２から管理コンピュータ１４に送信される。
【００４１】
また、図３に示すウェブページ２６には、入力欄３６ａ〜３６ｅが表示されており、これらの入力欄３６ａ〜３６ｅに前記マウス１２ｂやキーボード１２ｃを介して入力が行われることで、贈物の贈答先の住所や名前、贈答先へのメッセージ等に関する情報が入力される。そして、このウェブページ２６の下部には、ボタン３７が表示されており、このボタン３７が前記マウス１２ｂやキーボード１２ｃによって選択されることで、前記入力欄３６ａ〜３６ｅの入力内容が確定される。そして、確定された入力情報が依頼主端末１２から管理コンピュータ１４に送信される。
【００４２】
図１に示すように、注文情報記憶部２１には、依頼主端末１２から受信した各種情報が注文情報として記憶されている。詳しくは、注文情報は、本実施形態では、識別番号データ、商品名データ、価格データ、贈答先データ、依頼主データ、メッセージデータ、添付写真データによって構成される。なお、本実施形態では、商品名データと価格データとによって発注情報が構成される。また、贈答先データと依頼主データによって配送情報が構成される。さらに、メッセージデータと添付写真データによってメッセージ情報が構成される。
【００４３】
識別番号データは、各注文情報を識別するためのデータであり、例えば、「０１２３４５６７８９」といった番号により構成されるデータである。そして、この識別番号データは、注文情報記憶部２１に新たな注文情報が追加されるたびに管理コンピュータ１４によって自動的に作成され、記憶される。
【００４４】
商品名データと価格データとは、前記ウェブページ２５において、チェックボックス３３がチェックされた商品の商品名及び価格に関するデータである。そして、この商品名データと価格データとは、チェックボックス３３がチェックされ、ボタン３４が選択されることにより、依頼主端末１２から管理コンピュータ１４に送信されて記憶される。
【００４５】
贈答先データは、依頼主が贈物を届ける贈答先に関するデータであり、贈答先の住所を表す住所データと、贈答先の名前を表す贈答先名前データとによって構成される。そして、これら住所データ及び贈答先名前データは、依頼主端末１２において、前記ウェブページ２６の入力欄３６ａ，３６ｂに贈答先の住所や名前が入力され、ボタン３７が選択されることにより作成される。そして、作成された贈答先データは、管理コンピュータ１４に送信されて記憶される。
【００４６】
依頼主データとは、依頼主に関するデータであり、依頼主の名前を表すデータとなっている。そして、この依頼主データは、依頼主端末１２において、前記ウェブページ２６の入力欄３６ｃに依頼主の名前が入力され、ボタン３７が選択されることにより作成される。そして、作成された依頼主データは、管理コンピュータ１４に送信されて記憶される。
【００４７】
メッセージデータとは、贈物を贈る際に依頼主から贈答先に対して伝えるためのメッセージに関するデータである。そして、このメッセージデータは、依頼主端末１２において、前記ウェブページ２６の入力欄３６ｄにメッセージが入力され、ボタン３７が選択されることにより作成される。そして、作成されたメッセージデータは、管理コンピュータ１４に送信されて記憶される。
【００４８】
添付写真データは、前記メッセージデータのメッセージに添えるための写真や絵に関する画像データである。そして、この添付写真データは、依頼主端末１２に保存されている画像データに基づいて作成されるものであり、依頼主端末１２において、前記ウェブページ２６の入力欄３６ｅに、画像データの保存場所が入力され、ボタン３７が選択されることにより作成される。詳しくは、例えば、「ｃ：写真．ｊｐｅｇ」というように、依頼主端末１２における画像データの保存場所を入力欄３６ｅに入力することで、その画像データのコピーが依頼主端末１２から管理コンピュータ１４へと送信され、添付写真データとして注文情報記憶部２１に記憶される。
【００４９】
伝票書式データ記憶部２２には、伝票書式データが記憶されている。伝票書式データとは、贈物に貼り付ける配送用伝票を作成するための書式データである。そして、管理コンピュータ１４が、この伝票書式データと、前記注文情報記憶部２１の注文情報に基づいて、前記プリンタ１５を介して用紙Ｐ１に対して印刷を行うことにより、図４に示すような配送用伝票４０が作成されるようになっている。なお、この伝票書式データは、販売センタ１３が格納するものであって、適宜追加や削除、更新が行われるようになっている。
【００５０】
そして、図１に示すように、管理コンピュータ１４はプログラム記憶部１４ａを備え、このプログラム記憶部１４ａに記憶されている各種プログラムに従って、各種演算処理動作を実行する。なお、各種プログラムとしては、ウェブページ送信プログラム、注文情報取得プログラム、伝票印刷プログラムが記憶されている。
【００５１】
ウェブページ送信プログラムは、依頼主端末１２からの要求に基づいて、前記商品情報記憶部１７の商品情報、及び、前記ウェブページ記憶部１８のウェブページデータを依頼主端末１２に送信するためのプログラムである。すなわち、管理コンピュータ１４は、依頼主端末１２から要求を受けると、ウェブページ送信プログラムに従って、商品情報及びウェブページデータを依頼主端末１２に送信する。その結果、依頼主端末１２の画面１２ａ上には、前記ウェブページ２５，２６（図２及び図３参照）が表示されるようになる。
【００５２】
注文情報取得プログラムは、依頼主端末１２から注文情報を受信すると、受信した注文情報を注文情報記憶部２１に記憶させるためのプログラムである。すなわち、管理コンピュータ１４は、依頼主端末１２からウェブページ２５，２６を介して、商品名データ、価格データ、贈答先データ、依頼主データ、メッセージデータ、添付写真データを受信すると、注文情報取得プログラムに従って、新たな識別番号データを付与する。そして、注文情報として注文情報記憶部２１に記憶させる。すなわち、管理コンピュータ１４は、この注文情報取得プログラムによって、依頼主端末１２から、贈物を贈答先に配送するための贈答先データ、依頼主データを受信する手段、また、依頼主端末１２から、贈物の贈答先へと伝えるメッセージに関するメッセージデータ及び添付写真データを受信する手段として機能する。さらに、管理コンピュータ１４は、この注文情報取得プログラムによって、依頼主端末１２から依頼主の贈物の商品名データ、価格データを受信する手段として機能する。
【００５３】
伝票印刷プログラムは、新たな注文情報を注文情報記憶部２１に記憶すると、記憶した注文情報と、伝票書式データ記憶部２２に記憶されている伝票書式データとに基づいて、プリンタ１５を介して用紙Ｐ１上に印刷を行い、配送用伝票４０を作成するためのプログラムである。すなわち、管理コンピュータ１４は、新たな注文情報を注文情報記憶部２１に記憶させると、伝票印刷プログラムに従って、記憶した注文情報と、伝票書式データ記憶部２２の伝票書式データとに基づいて、プリンタ１５を介して用紙Ｐ１上に印刷を行い、配送用伝票４０を作成する。すなわち、管理コンピュータ１４は、この伝票印刷プログラムによって、注文情報と伝票書式データとに基づいて、プリンタ１５において配送用伝票４０を作成するための印刷データを作成する手段として機能する。
【００５４】
次に、前記管理コンピュータ１４が、プリンタ１５を介して印刷する前記配送用伝票４０について、図４及び図５に従って、詳しく説明する。
図４に示すように、配送用伝票４０は、用紙Ｐ１上に印刷を行うことによって作成される。そして、図５に示すように、用紙Ｐ１は、上から順に、上面シート４５、基材シート４６、剥離シート４７を積層するようにして備える。上面シート４５は、本実施形態では、長方形であり、前記画像４１が印刷可能な材料、例えば、普通紙等によって形成されている。そして、上面シート４５は、左側から順に、第１の送付状用領域４８、第１の控え用領域４９、第１の確認用領域５０を備える。なお、第１の送付状用領域４８と第１の控え用領域４９とは、ミシン目としての第１のミシン目５２を介して接続されている。また、第１の控え用領域４９と第１の確認用領域５０とは、境界５３を境にして、分離された状態となっている。
【００５５】
基材シート４６は、本実施形態においては、前記上面シート４５と同じ大きさ及び同じ材料により形成されている。そして、基材シート４６は、左側から順に、第２の送付状用領域５５、第２の控え用領域５６、第２の確認用領域５７を備える。なお、各領域５５，５６，５７の大きさは、前記上面シート４５の各領域４８，４９，５０とそれぞれ同じ大きさとなっている。そして、第２の送付状用領域５５と第２の控え用領域５６とは、ミシン目としての第２のミシン目５８を介して接続されている。なお、この第２のミシン目５８は、基材シート４６と上面シート４５とを、それぞれの縁を一致させた状態で重ね合わせたときに、前記第１のミシン目５２と略一致する位置に設けられている。また、第２の控え用領域５６と第２の確認用領域５７とは連続しており、一体の状態となっている。
【００５６】
そして、以上のように構成された基材シート４６は、前記上面シート４５に対して、第１の接着剤５９及び第２の接着剤６０を介して貼り合わされている。詳しくは、第１の接着剤５９は、上面シート４５と基材シート４６とを剥離不能とする材料にて形成されており、第２の送付状用領域５５及び第２の控え用領域５６の上面全体に塗布される。また、第２の接着剤６０は、上面シート４５と基材シート４６とを剥離可能に接着する材料にて形成されており、第２の確認用領域５７の上面全体に塗布される。
【００５７】
そして、基材シート４６に、第１及び第２の接着剤５９，６０を塗布した後に、上面シート４５を重ね合わせることにより、基材シート４６と上面シート４５とが貼り合わされる。なお、このとき、上面シート４５と基材シート４６とは、それぞれの縁が一致した状態となっているとともに、上面シート４５の各領域４８，４９，５０と、基材シート４６の各領域５５，５６，５７がそれぞれ一致した位置となるようにして重ね合わされる。
【００５８】
従って、上面シート４５と基材シート４６とは、前記第１及び第２の送付状用領域４８，５５と、第１及び第２の控え用領域４９，５６において、剥離不能に接着されている。一方、第１及び第２の確認用領域５０，５７においては、剥離可能に接着されており、第１の確認用領域５０のみを、基材シート４６から剥がすことが可能となっている。
【００５９】
そして、第１及び第２の送付状用領域４８，５５によってメッセージ情報印刷媒体としてのメッセージカード６１が、第１及び第２の控え用領域４９，５６によって贈答先控え部６２が、第１及び第２の確認用領域５０，５７によって到着確認票６３が構成されている。なお、本実施形態においては、贈答先控え部６２と到着確認票６３によって配送情報印刷媒体が構成されている。
【００６０】
剥離シート４７は、本実施形態においては、油紙等によって形成されており、その平面方向の大きさは、第２の控え用領域５６及び第２の確認用領域５７を合わせた大きさに形成されている。そして、この剥離シート４７は、前記基材シート４６に対して、接着手段としての第３の接着剤６４を介して貼り合わされている。詳しくは、第３の接着剤６４は、基材シート４６を、この第３の接着材を介して、物体に対して貼り付けると、剥離不能となる材料により形成されている。また、この第３の接着剤６４は、油紙による剥離シート４７に対しては、剥離可能となる性質を有している。そして、第３の接着剤６４は、基材シート４６の、第２の控え用領域５６及び第２の確認用領域５７の下面全体に塗布される。
【００６１】
そして、基材シート４６に、第３の接着剤６４を塗布した後に、下側から剥離シート４７を重ね合わせることにより、基材シート４６と剥離シート４７とが剥離可能に貼り合わされる。なお、このとき、基材シート４６と剥離シート４７との位置関係は、基材シート４６の第２の控え用領域５６及び第２の確認用領域５７に対してのみ、剥離シート４７が重ね合わされるような関係となっている。
【００６２】
従って、基材シート４６と剥離シート４７とは、第２の控え用領域５６と第２の確認用領域５７において、剥離可能に接着されている。そして、基材シート４６から剥離シート４７を剥がした状態で、基材シート４６を、物体に対して押し付けることで、基材シート４６を物体に対して剥離不能に貼り付けることができるようになっている。
【００６３】
そして、管理コンピュータ１４が、注文情報記憶部２１の注文情報と伝票書式データ記憶部の伝票書式データとに基づいて、印刷データを作成し、その印刷データに基づいてプリンタ１５を介して用紙Ｐ１上に印刷を行うことにより、配送用伝票４０が完成される。すなわち、図４に示すように、用紙Ｐ１のうち、メッセージカード６１に該当する部分には、メッセージ文６５ａと、写真６５ｂとが印刷されている。メッセージ文６５ａは、前記注文情報記憶部２１のメッセージデータに基づいたものであり、写真６５ｂは、添付写真データに基づいたものとなっている。つまり、メッセージカード６１には、依頼主から贈答先へのメッセージに関する文字や写真が印刷されており、依頼主から贈答先へとメッセージを伝えるためのものとなっている。
【００６４】
また、用紙Ｐ１のうち、贈答先控え部６２に該当する部分には、納品情報としての宛先文６６ａや識別番号６６ｂ等が印刷されている。宛先文６６ａは、前記注文情報記憶部２１の依頼主データと贈答先データとに基づいたものであり、識別番号６６ｂは、識別番号データに基づいたものとなっている。そして、贈答先控え部６２は、贈答先に対して、その贈物が誰から贈られてきたか、といった情報を与えるためのものである。
【００６５】
さらに、用紙Ｐ１のうち、到着確認票６３に該当する部分には、前記贈答先控え部６２に印刷されている宛先文６６ａと同様の内容の宛先文６７ａと、識別番号６６ｂと同様の内容の識別番号部６７ｂ等が印刷されている。また、この到着確認票６３に該当する部分には、配送が完了したか否かを表すための配送完了確認用情報としての受領印部６７ｃが印刷されている。そして、この受領印部６７ｃに、贈物の贈答先において押印やサインが行われることで、配送が完了したか否かが確認できるようになっている。従って、この到着確認票６３は、贈物を配送する配送業者が、配送の確認を行うためのものとなっている。
【００６６】
次に、上記のように構成された、印刷システム１１及び配送用伝票４０の作用について説明する。
まず、依頼主が、インターネットＩを介して接続されている販売センタ１３を介して、贈物の配送を発注しようとする場合には、図１に示すように、まず、依頼主は、依頼主端末１２を介して、管理コンピュータ１４に、アクセス要求の信号を送信する。管理コンピュータ１４は、依頼主端末１２からのアクセス要求を受信すると、前記ウェブページ送信プログラムに従って、商品情報記憶部１７の商品情報、及び、ウェブページ記憶部１８のウェブページデータを、依頼主端末１２に対して送信する。
【００６７】
依頼主端末１２において、商品情報及びウェブページデータが受信されると、依頼主端末１２の画面１２ａ上には、まず、図２に示すようなウェブページ２５が表示される。依頼主は、このウェブページ２５を見て、贈物として送りたい商品を探し出す。そして、マウス１２ｂ及びキーボード１２ｃにより、該当する商品の横にあるチェックボックス３３が選択される。
【００６８】
そして、依頼主によって、このウェブページ２５のボタン３４が選択されると、選択された商品に関する商品名データ及び価格データが、管理コンピュータ１４に送信される。管理コンピュータ１４は、商品名データ及び価格データを受信すると、注文情報取得プログラムに従って、まず、識別番号データを作成し、識別番号データと、受信した商品名データと、価格データとを注文情報記憶部２１に記憶させる。
【００６９】
続いて、管理コンピュータ１４は、ウェブページ送信プログラムに従って、依頼主端末１２に、図３に示すようなウェブページ２６を表示させるためウェブページデータを送信する。すると、依頼主端末１２の画面１２ａ上には、ウェブページ２６が表示され、依頼主によってマウス１２ｂ及びキーボード１２ｃが操作され、入力欄３６ａ〜３６ｅに対して入力が行われる。
【００７０】
そして、ウェブページ２６のボタン３７が選択されることで、入力欄３６ａ，３６ｂに基づく贈答先データ、入力欄３６ｃに基づく依頼主データ、入力欄３６ｄに基づくメッセージデータ、入力欄３６ｅに基づく添付写真データが、管理コンピュータ１４に送信される。
【００７１】
管理コンピュータ１４は、贈答先データ、依頼主データ、メッセージデータ、添付写真データを受信すると、注文情報取得プログラムに従って、受信した各データを、対応する前記識別番号データ、商品名データ、価格データと関連付け、注文情報として注文情報記憶部２１に記憶させる。そして、管理コンピュータ１４は、注文情報を注文情報記憶部２１に記憶させると、前記伝票印刷プログラムに従って、注文情報と、伝票書式データ記憶部２２の伝票書式データとに基づいて、プリンタ１５を介して用紙Ｐ１上に印刷を行う。すると、図４に示すような配送用伝票４０が作成される。
【００７２】
また、販売センタ１３では、前記注文情報記憶部２１に記憶されている商品名データや価格データ等に基づいて、実際の贈物が手配され、図６に示すように、贈物が梱包された段ボール箱７１が用意される。そして、この段ボール箱７１の上面に、前記配送用伝票４０が、その剥離シート４７（図５参照）が剥がされ、段ボール箱７１に対して押し付けられることにより貼り付けられる。なお、このとき、配送用伝票４０は、図７に示すように、贈答先控え部６２と到着確認票６３のみが段ボール箱７１に対して貼り付けられた状態となる。これは、前記したように、配送用伝票４０を構成する用紙Ｐ１のうち、下面に第３の接着材が塗布されているのが、贈答先控え部６２と到着確認票６３のみであり、メッセージカード６１の下面には、第３の接着剤６４が塗布されていないためである。
【００７３】
そして、上記のように、配送用伝票４０が貼り付けられた段ボール箱７１は、配送用伝票４０の記載内容に基づいて、配送業者によって贈答先へと配送される。そして、配送が完了すると、贈答先において、配送用伝票４０の到着確認票６３の受領印部６７ｃに押印やサインが行われ、図８に示すように、配送用伝票４０の到着確認票６３のうち、第１の確認用領域５０のみが、第２の確認用領域５７から剥がされ、配送業者によって持ち帰られる。すなわち、前記したように、第１の確認用領域５０と第２の確認用領域５７とは、剥離可能に貼り合わされているので、配送業者は、容易に第１の確認用領域５０を剥がして持ち帰ることができるようになっている。そして、配送業者は、この第１の確認用領域５０を持ち帰ることにより、配送の確認を行う。
【００７４】
また、この状態において、図９に示すように、配送用伝票４０のうち、メッセージカード６１のみを切り取ることが可能となっている。なお、メッセージカード６１と、贈答先控え部６２との間は、ミシン目５２，５８（図５参照）によって接続されているのみであるので、メッセージカード６１を配送用伝票４０から切り取ることが容易になっている。そして、切り取られたメッセージカード６１が贈答先において閲覧され、保持される。
【００７５】
すなわち、依頼主がインターネットＩ等を介して贈物の配送を発注すると、販売センタ１３において、贈物を配送するために必要な配送用伝票４０が印刷される。そして、この配送用伝票４０には、メッセージカード６１が含まれている。従って、配送用伝票４０を、贈物を包装する段ボール箱７１に貼り付けることにより、同時に、贈物にメッセージカード６１を添付することができるようになっている。その結果、贈物とメッセージカード６１との対応付けを容易に行うことができるようになっている。
【００７６】
上記実施形態によれば、以下のような効果を得ることができる。
（１）上記実施形態では、配送用伝票４０は、メッセージカード６１と贈答先控え部６２、到着確認票６３とを備えるようにした。そして、依頼主からの贈物を贈答先に配送するときに、この配送用伝票４０を、贈物を包装する段ボール箱７１に貼り付けるようにした。従って、配送者は、配送用伝票４０のうち、贈答先控え部６２、到着確認票６３等を閲覧することにより、贈答先へと贈物を配送するための情報を把握することができる。また、贈答先は、配送用伝票４０のうちのメッセージカード６１を閲覧することにより、依頼主からのメッセージを確認することができる。
【００７７】
すなわち、贈物に対して、一枚の配送用伝票４０を添付することで、配送者に対して配送に必要な情報を提供するとともに、贈答先に対してメッセージを提供することができる。その結果、贈物に対して、配送に必要な情報を添付する作業とメッセージを添付する作業とを一度に行うことが可能となり、贈物とメッセージとを対応づける作業を容易なものとすることができる。
【００７８】
（２）上記実施形態では、メッセージカード６１と贈答先控え部６２とは、ミシン目５２，５８を介して分離可能に接続されるようにした。従って、贈物を配送するときには、メッセージカード６１と贈答先控え部６２とが接続されたままとすることができ、配送用伝票４０の扱いが楽となる。また、配送終了後、贈答先において、配送用伝票４０から、メッセージカード６１のみを分離することが可能であり、贈答先に対して好ましい美観を有するメッセージカード６１を簡単に提供することができる。
【００７９】
（３）上記実施形態では、メッセージカード６１、贈答先控え部６２、到着確認票６３は、１つの用紙Ｐ１により形成されるようにした。従って、プリンタ１５にて、用紙Ｐ１に印刷を行って配送用伝票４０を作成するときには、１回の印刷で配送用伝票４０を作成することができ、配送用伝票４０の印刷を容易に行うことができる。
【００８０】
（４）上記実施形態では、配送用伝票４０を構成する用紙Ｐ１のうち、下面に第３の接着材が塗布されているのは、贈答先控え部６２と到着確認票６３のみとなるようにし、メッセージカード６１の下面には、第３の接着剤６４が塗布されないようにした。
【００８１】
従って、贈物を包装する段ボール箱７１に配送用伝票４０を貼り付ける場合には、贈答先控え部６２と到着確認票６３の下面に設けられている第３の接着剤６４を介して配送用伝票４０が貼り付けられるようになる。そして、このとき、メッセージカード６１は段ボール箱７１に貼り付けられた状態とならないようにすることができる。その結果、贈答先において、配送用伝票４０から、メッセージカード６１を分離することが容易となる。そして、贈答先に対して、好ましい美観を有するメッセージカード６１を提供することができる。
【００８２】
（５）上記実施形態では、依頼主端末１２において、画面１２ａ上に表示されるウェブページ２５，２６に従って入力が行われることで、依頼主が所望する贈物に関する商品名データ、価格データ、贈答先データ、依頼主データ、メッセージデータ、添付写真データが、販売センタ１３に送信されるようにした。そして、販売センタ１３の管理コンピュータ１４が、これら各種データに基づいて、プリンタ１５を介して用紙Ｐ１への印刷を行い、配送用伝票４０を作成するようにした。
【００８３】
従って、依頼主が、インターネットＩを介して贈物の配送の注文を行うことにより、その贈物に、依頼主の所望するメッセージが記載された配送用伝票４０が添付されるようになる。すなわち、依頼主は、贈物に直接接しなくても、販売センタ１３において贈物に配送用伝票４０が添付されることで、贈物に所望のメッセージを確実に添付することができる。
【００８４】
（６）上記実施形態においては、販売センタ１３の管理コンピュータ１４は、依頼主端末１２から、贈物とする商品に関する商品名データ及び価格データを受信するようにした。そして、販売センタ１３において、贈物の手配をするようにした。また、贈物の手配をする販売センタ１３において、配送用伝票４０が印刷されるようにした。従って、販売センタ１３において、贈物の手配と、配送用伝票４０の印刷との両方を行うようにした。従って、贈物の手配と配送用伝票４０との管理が同一の販売センタ１３にて行われ、贈物と配送用伝票４０とを対応づけることが容易となる。その結果、贈物に対してメッセージカード６１を添付することがより簡単となる。
【００８５】
（７）上記実施形態においては、配送用伝票４０のメッセージカード６１は、文字によるメッセージ文６５ａだけでなく、写真６５ｂも印刷されるようにした。従って、メッセージカード６１の見栄えをより美しくすることができる。
【００８６】
（８）上記実施形態においては、配送用伝票４０の到着確認票６３に該当する部分には、受領印部６７ｃを設けるようにした。従って、配送業者が、この配送用伝票４０を使用して贈答先へ贈物を配送したときに、この受領印部６７ｃに押印やサインが行われ、配送用伝票４０の到着確認票６３のうち、第１の確認用領域５０のみが持ち帰られ保管されることによって、配送業者自身が配送の確認を行うことができる。
【００８７】
（９）上記実施形態においては、配送用伝票４０の送り先控え部６２に該当する部分には、宛先文６６ａや識別番号６６ｂ等が印刷されるようにした。そして、贈物が贈答先に届けられると、この送り先控え部６２が贈答先において保管されるようにした。従って、贈答先は、この送り先控え部６２に印刷されている宛先文６６ａや識別番号６６ｂ等を確認することによって、品物の贈主に関する情報や品物の情報等を容易に知ることができる。
【００８８】
なお、上記実施形態は以下のように変更してもよい。
・上記実施形態においては、メッセージカード６１には、メッセージ文６５ａや写真６５ｂを印刷するようにした。これを、図１０に示すように、メッセージ文６５ａや写真６５ｂに加えて、通信用紙としてのハガキの書式情報に基づいた表示７３が印刷されるようにしてもよい。そして、このハガキの書式情報に基づいた表示７３の部分のみ、ミシン目７４によって分離できるようにしてもよい。このようにすれば、贈物を受け取った贈答先において、依頼主へのお礼状等を作成するための手間を軽減させることができる。
【００８９】
・上記実施形態においては、メッセージカード６１は、平面状の第１及び第２の控え用領域４９，５６によって構成され、その表面にメッセージ文６５ａと写真６５ｂとが印刷されることにより形成されるようにした。これを、図１０及び図１１に示すように、メッセージカード６１に、折り目７５を設けるようにしてもよい。これにより、メッセージカード６１には、折り目７５を挟んだ２つの領域が形成される。そして、図１０に示すように、一方の領域７５ａにはメッセージ文６５ａを、他方の領域７５ｂには写真６５ｂを印刷するようにしてもよい。
【００９０】
このようにすれば、贈答先において、配送用伝票４０から切り取られたメッセージカード６１は、折り目７５にて２つ折りにすることができる。これにより、贈答先に、見栄えの良いメッセージカード６１を提供することができる。
【００９１】
さらに、図１１に示すように、メッセージカード６１に折り目７５を設けたときに、折り目７５を挟んだ２つの領域の一方の領域７５ａにメッセージ文６５ａと写真６５ｂとを印刷するようにし、他方の領域７５ｂを空白とするようにしてもよい。このようにすれば、贈答先において、配送用伝票４０から切り取られたメッセージカード６１を、印刷されている面を内側にして折り目７５にて２つ折りにすることで、より見栄えの良いメッセージカード６１を提供することができる。
【００９２】
・上記実施形態においては、メッセージカード６１を構成する第１の送付状用領域４８と第２の送付状用領域５５とは、第１の接着剤５９によって剥離不能に貼り合わされるようにした。これを、第１及び第２の送付状用領域４８，５５を、剥離可能な接着剤によって貼り合わせるようにしてもよい。そして、この接着剤は、第１の送付状用領域４８と第２の送付状用領域５５とを剥離させたときに、第１の送付状用領域４８の裏面に粘着性をもたせるような材料とするようにしてもよい。このようにすれば、第１の送付状用領域をシールとして扱うことができ、この第１の送付状用領域を、台紙等に貼り付けることにより、より見栄えのよいメッセージカードを作成することができる。
【００９３】
・上記実施形態においては、配送用伝票４０のメッセージカード６１は、配送時、そのメッセージ文６５ａや写真６５ｂが外部に露出した状態となるようにした。これを、図１２に示すように、メッセージカード６１の表面を覆う被覆手段としての被覆紙７６にて覆うようにしてもよい。そして、このような場合には、この被覆紙７６とメッセージカード６１とを、離間可能に接続するようにする。例えば、剥離可能な接着剤にて被覆紙７６とメッセージカード６１とを接着するようにしてもよい。このようにすれば、メッセージカード６１に印刷されているメッセージ文６５ａや写真６５ｂの内容について機密性を高めることができる。
【００９４】
なお、この被覆紙７６とメッセージカード６１とは、一部分において離間不能に接続されているようにしてもよい。このようにすれば、メッセージカード６１から剥離した被覆紙７６が散らからないようにすることができる。
【００９５】
また、メッセージカード６１を、被覆手段としてのラミネートフィルム等によって被覆するようにしてもよい。このようにすれば、メッセージカード６１の強度を高めたり、汚れや損傷を防いだりすることができる。
【００９６】
・上記実施形態においては、配送用伝票４０は、メッセージカード６１、贈答先控え部６２、到着確認票６３を、左から順に一列に並ぶようにして備えるようにした。これを、図１３に示すように、１枚の区画印刷媒体としての用紙Ｐ２を、十字状にミシン目８１，８２を形成することによって４つの印刷領域８３，８４，８５，８６を形成するようにしてもよい。そして、それぞれに各種の印刷を行うことによって、ハガキ部８８、メッセージカード６１、贈答先控え部６２、到着確認票６３等を形成し、配送用伝票９０とするようにしてもよい。このようにすれば、Ａ４サイズなど、汎用性の高いサイズを有する用紙Ｐ２に、十字状にミシン目８１，８２を形成するとともに、その表面に各種の印刷を行うことによって、配送用伝票９０を作成することができる。従って、配送用伝票９０の製造をより低コストに行うことができる。なお、ミシン目８１，８２は、お互いが非平行となるのであれば、十字状以外となるように交わるようにしてもよい。さらに、２本以上のミシン目を設けるようにしてもよい。
【００９７】
さらに、用紙Ｐ２として、ファイリング用の穴９１ａ，９１ｂ，９１ｃ，９１ｄが設けられたものを使用するようにしてもよい。このようにすれば、配送用伝票９０を、ファイリング用の穴９１ａ〜９１ｄを備えたものとすることができる。そして、配送用伝票９０から、ミシン目８１，８２を介して切り離された贈答先控え部６２や到着確認票６３等を、ファイリングしやすいものとすることができる。
【００９８】
・上記実施形態においては、配送用伝票４０のメッセージカード６１は、贈答先控え部６２に対して、接続手段としての、第１及び第２のミシン目５２，５８を介して接続されるようにした。これを、その他の接続手段により、接続されるようにしてもよい。例えば、その他の接着手段として、メッセージカード６１と贈答先控え部６２とを剥離可能に接着する接着剤を使用するようにしてもよい。また、接続手段として、クリップ等を用いるようにしてもよい。
【００９９】
・上記実施形態においては、配送用伝票４０を構成する用紙Ｐ１は、上面シート４５，基材シート４６、剥離シート４７によって構成されるようにした。これを、配送する運送会社や運送方法、商品注文形態などによって、任意に変更するようにしてもよい。例えば、上面シート４５のみによって構成されるようにしても良い。
【０１００】
・上記実施形態においては、配送用伝票４０は、メッセージカード６１、贈答先控え部６２、到着確認票６３によって構成されるようにした。これを、メッセージカード６１を含むものであれば、配送する運送会社や運送方法、商品注文形態などによって、任意に変更するようにしてもよい。例えば、メッセージカード６１と、贈答先控え部６２のみで構成されるようにしてもよいし、メッセージカード６１と到着確認票６３のみで構成されるようにしてもよい。
【０１０１】
・上記実施形態においては、配送用伝票４０は、メッセージカード６１、贈答先控え部６２、到着確認票６３が、同一平面上に位置するように並んで設けられるようにした。これを、メッセージカード６１、贈答先控え部６２、到着確認票６３が、重ね合わされるようにして配送用伝票４０を形成するようにしてもよい。そして、このような場合には、メッセージカード６１、贈答先控え部６２、到着確認票６３が、お互いに離間可能に貼り合わされるようになっていてもよい。
【０１０２】
また、メッセージカード６１、贈答先控え部６２、到着確認票６３毎に、異なる材料により形成されるようにしてもよい。
・上記実施形態においては、依頼主が依頼主端末１２を介して発注した贈物の手配を、販売センタ１３において行うようにした。これを販売センタ１３以外の業者等において、手配がされるようにしてもよい。そして、このような場合には、販売センタ１３は、配送用伝票４０の作成のみを行うようにする。そして、販売センタ１３において、販売センタ１３以外の業者等によって手配された贈物に、配送用伝票４０を添付するようにしてもよい。
【０１０３】
さらに、販売センタ１３から、贈物の手配を行った業者等に配送用伝票４０を渡し、その業者等によって贈物に配送用伝票４０が添付されるようにしてもよい。そして、このような場合には、贈物の手配を行った業者等によって贈物が贈答先に届けられるようにしてもよい。また、贈物の手配を行った業者等は、贈物の配送を行うことにより、配送用伝票４０の到着確認票６３の受領印部６７ｃに押印やサインが行われると、到着確認票６３の第２の各認容領域５０を、配送の確認として、販売センタ１３に渡すようにしてもよい。
【０１０４】
さらに又、このような場合には、配送用伝票４０に、納品書控え部（図示しない）を設け、贈物の手配を行った業者等が、贈物の配送完了後、納品書控え部を持ち帰って保管することによって、配送の確認を行うことができるようにしてもよい。
【０１０５】
・上記実施形態においては、配送用伝票４０の贈答先控え部６２に該当する部分には、納品情報としての宛先文６６ａや識別番号６６ｂ等が印刷されるようにした。これを、納品情報として、贈物の名前や、贈物の解説、贈答先の名前等が印刷されるようにしてもよい。
【図面の簡単な説明】
【図１】本実施形態における印刷システムの概略構成図。
【図２】同じく、依頼主端末の画面上におけるウェブページの説明図。
【図３】同じく、依頼主端末の画面上におけるウェブページの説明図。
【図４】同じく、配送用伝票の正面図。
【図５】同じく、配送用伝票を構成する用紙の分解斜視図。
【図６】同じく、配送用伝票が貼り付けられた段ボール箱の斜視図。
【図７】同じく、段ボール箱の要部斜視図。
【図８】同じく、配送用伝票の作用を説明するための説明図。
【図９】同じく、配送用伝票の作用を説明するための説明図。
【図１０】別例における配送用伝票の正面図。
【図１１】別例における配送用伝票の正面図。
【図１２】別例における配送用伝票の正面図。
【図１３】別例における配送用伝票の正面図。
【符号の説明】
Ｐ１…印刷媒体としての用紙、Ｐ２…区画印刷媒体としての用紙、１１…印刷システム、１２…依頼主端末、１４…管理コンピュータ、１５…印刷手段としてのプリンタ、４０，９０…配送用伝票、５２…ミシン目としての第１のミシン目、５８…ミシン目としての第２のミシン目、６１…メッセージ情報印刷媒体としてのメッセージカード、６２…配送情報印刷媒体を構成する贈答先控え部、６３…配送情報印刷媒体を構成する到着確認票、６４…接着手段としての第３の接着剤、７５…折り目、７６…被覆手段としての被覆紙、８１，８２…ミシン目、８３，８４，８５，８６…印刷領域。
【図１】
2004291488.tif 000003
【図２】
2004291488.tif 000004
【図３】
2004291488.tif 000005
【図４】
2004291488.tif 000006
【図５】
2004291488.tif 000007
【図６】
2004291488.tif 000008
【図７】
2004291488.tif 000009
【図８】
2004291488.tif 000010
【図９】
2004291488.tif 000011
【図１０】
2004291488.tif 000012
【図１１】
2004291488.tif 000013
【図１２】
2004291488.tif 000014
【図１３】
2004291488.tif 000015